(57)【特許請求の範囲】
【請求項１】
傾斜した野地板上に複数の板金製瓦を複数敷設し、これら各板金製瓦が、上記野地板の表面に沿って延びる平坦な瓦本体と、上記野地板の表面に沿った傾斜方向の上記瓦本体の上端縁から延出して、上記野地板の表面に対する垂直方向の上方に向って一体的に突出する側面視でほぼ倒立Ｕ字形状の係止片と、上記傾斜方向の上記瓦本体の下端縁から上記垂直方向の下方に向って一体的に延出した後、上記傾斜方向の上方に向って延出する被係止片とを備え、一つの板金製瓦の被係止片を上記傾斜方向でこの板金製瓦の下側に隣り合うよう上記野地板の表面に敷設されている他の板金製瓦の係止片にその外方から係止可能とさせ、上記傾斜方向にほぼ直交して上記野地板の表面に沿った水平方向で上記板金製瓦に隣り合うよう上記野地板上に敷設されている更に他の板金製瓦の側縁の表面にその外方から上記板金製瓦の側縁を重ね合わせ可能とした建物の板金製屋根瓦において、
上記板金製瓦の側縁の端縁を、この側縁の裏面側で折り返して複数枚の重ね合わせ構造とし、
上記水平方向で隣り合う両板金製瓦の両側縁のうち、上記更に他の板金製瓦の側縁の端縁を含み、この端縁から上記板金製瓦の側縁への遷移部と、上記野地板との間に水切板を介在させ、この水切板が、上記垂直方向で上記遷移部の下方に配設されて傾斜方向に延びる板金製の水切板本体と、上記傾斜方向に延び上記水切板本体の表面に取り付けられて上記遷移部の裏面に圧接させられる弾性のシール材とを備え、
上記垂直方向で上記各板金製瓦の両係止片に対向する上記水切板本体の部分に、上方に向って膨出する膨出部を成形した建物の板金製屋根瓦。
【請求項２】
上記水平方向で上記シール材から離れて位置すると共に傾斜方向に延び、かつ、上記水切板本体の上面に取り付けられて上記板金製瓦および更に他の板金製瓦の各裏面にそれぞれ圧接させられる左右一対の弾性の他のシール材を設けた請求項１に記載の建物の板金製屋根瓦。
【発明の詳細な説明】
【０００１】
【発明が属する技術分野】
本発明は、屋根における傾斜した野地板の表面に、その傾斜方向とこれにほぼ直交する水平方向とに向ってそれぞれ隣り合うように複数の板金製瓦を敷設させた建物の板金製屋根瓦に関するものである。
【０００２】
【従来の技術】
上記建物の板金製屋根瓦には、従来、第１の従来の技術として、特開平９‐２１２１２号公報で示されたものがある。
【０００３】
上記公報のものによれば、屋根において、傾斜した野地板上に複数の板金製瓦が碁盤目状に複数敷設されている。これら各板金製瓦は、上記野地板の表面に沿って延びる平坦な瓦本体と、上記野地板の表面に沿った傾斜方向の上記瓦本体の上端縁から延出して、上記野地板の表面に対する垂直方向の上方に向って一体的に突出する側面視でほぼ倒立Ｕ字形状の係止片と、上記傾斜方向の上記瓦本体の下端縁から上記垂直方向の下方に向って一体的に延出した後、上記傾斜方向の上方に向って延出する被係止片とを備えている。
【０００４】
ある一つの板金製瓦の被係止片は上記傾斜方向でこの板金製瓦の下側に隣り合うよう上記野地板の表面に敷設されている他の板金製瓦の係止片にその外方から係止可能とされ、また、上記傾斜方向にほぼ直交して上記野地板の表面に沿った水平方向で上記板金製瓦に隣り合うよう上記野地板上に敷設されている更に他の板金製瓦の側縁の表面にその外方から上記板金製瓦の側縁が重ね合わせ可能とされている。
【０００５】
また、第２の従来の技術として、実用新案登録番号第２５３８４８１号公報で示されるものがある。
【０００６】
上記公報のものによれば、前記第１の従来の技術に加えて、上記水平方向で隣り合う両板金製瓦の両側縁のうち、上記更に他の板金製瓦の側縁の端縁を含み、この端縁から上記板金製瓦の側縁への遷移部と、上記野地板との間に水切板が介在しており、この水切板は、上記垂直方向で上記遷移部の下方に配設されて傾斜方向に延びる板金製の水切板本体と、上記傾斜方向に延び上記水切板本体の表面に取り付けられて上記遷移部の裏面に圧接させられる弾性のシール材とを備えている。
【０００７】
そして、水平方向で隣り合う両板金製瓦の間を通して雨水が野地板側に浸入してきたとき、この雨水が更に野地板側に向うことは上記シール材によって抑制されるようになっている。
【０００８】
また、上記の場合、垂直方向で上記両板金製瓦の各係止片に対向する上記シール材の対向部分では、その一部が弾性変形により上記係止片の下端の開口を通しその内側空間に入り込むため、このシール材の対向部分の上記遷移部に対する面圧が低下し、ここでのシール性能が低下しがちとなる。
【０００９】
そこで、上記シール材の上記傾斜方向における各部のうち、上記係止片に対向するシール材の対向部分の厚さを他の部分よりも厚くさせ、このように、厚さを変化させることで、上記傾斜方向での遷移部に対するシール材の各部面圧を互いにより均一とさせるようにしてある。
【００１０】
【発明が解決しようとする課題】
ところで、前記第１の従来の技術では、次のような問題点がある。
【００１１】
即ち、水平方向で、板金製瓦を順次敷設したとき、前記したように、一つの板金製瓦の瓦本体の側縁は、この板金製瓦に隣り合う更に他の板金製瓦の瓦本体の側縁の表面に重ね合わされるため、上記板金製瓦の瓦本体の側縁は屋根の外部に露出することとなるが、この側縁の端縁は単に切断されたままの状態とされていて、この側縁の端縁には剛性の確保が困難であることから、この端縁を、その側面視で直線的な形状に保持させることは困難である。
【００１２】
よって、上記板金製瓦の瓦本体の側縁と、上記更に他の板金製瓦の瓦本体の側縁との間に隙間が生じ易くなり、これは、水平方向で隣り合う両板金製瓦の間での雨水に対するシール性能を低下させるものであると共に、この屋根の見栄えを低下させるものであって好ましくない。
【００１３】
また、前記第２の従来の技術では、次のような問題点がある。
【００１４】
即ち、前記したように、傾斜方向で遷移部に対するシール材の各部の面圧を互いに均一にさせようとして、上記シール材の厚さを変化させているが、これにより、シール材の成形が煩雑となり、つまり、上記屋根の成形が煩雑となっている。
【００１５】
また、上記水平方向で隣り合う両板金製瓦の間を通って雨水が野地板側に浸入することは、上記シール材によって抑制されるが、雨水の一部がこのシール材を通り越えたときには、上記野地板側にまで流れるおそれを生じ、よって、上記両板金製瓦の間のシール性能については改善の余地が残されている。
【００１６】
本発明は、上記のような事情に注目してなされたもので、屋根において、水平方向で隣り合う両板金製瓦の間での雨水に対するシール性能や、見栄えをより向上させることを課題とする。
【００１７】
また、上記のようにした場合でも、屋根の成形が容易にできるようにすることを課題とする。
【００１８】
【課題を解決するための手段】
上記課題を解決するための本発明の建物の板金製屋根瓦は、次の如くである。
【００１９】
請求項１の発明は、傾斜した野地板３上に複数の板金製瓦７を複数敷設し、これら各板金製瓦７が、上記野地板３の表面に沿って延びる平坦な瓦本体８と、上記野地板３の表面に沿った傾斜方向Ｓの上記瓦本体８の上端縁から延出して、上記野地板３の表面に対する垂直方向Ｖの上方に向って一体的に突出する側面視でほぼ倒立Ｕ字形状の係止片１０と、上記傾斜方向Ｓの上記瓦本体８の下端縁から上記垂直方向Ｖの下方に向って一体的に延出した後、上記傾斜方向Ｓの上方に向って延出する被係止片１２とを備え、一つの板金製瓦７（Ａ）の被係止片１２を上記傾斜方向Ｓでこの板金製瓦７の下側に隣り合うよう上記野地板３の表面に敷設されている他の板金製瓦７（Ｂ）の係止片１０にその外方から係止可能とさせ、上記傾斜方向Ｓにほぼ直交して上記野地板３の表面に沿った水平方向Ｈで上記板金製瓦７（Ａ）に隣り合うよう上記野地板３上に敷設されている更に他の板金製瓦７（Ｃ）の側縁８ａの表面にその外方から上記板金製瓦７（Ａ）の側縁８ａを重ね合わせ可能とした建物の板金製屋根瓦において、
【００２０】
上記板金製瓦７（Ａ）の側縁８ａの端縁を、この側縁８ａの裏面側で折り返して複数枚の重ね合わせ構造とし、
【００２１】
上記水平方向Ｈで隣り合う両板金製瓦７（Ａ），７（Ｃ）の両側縁８ａ，８ａのうち、上記更に他の板金製瓦７（Ｃ）の側縁８ａの端縁を含み、この端縁から上記板金製瓦７（Ａ）の側縁８ａへの遷移部１６と、上記野地板３との間に水切板１７を介在させ、この水切板１７が、上記垂直方向Ｖで上記遷移部１６の下方に配設されて傾斜方向Ｓに延びる板金製の水切板本体１８と、上記傾斜方向Ｓに延び上記水切板本体１８の表面に取り付けられて上記遷移部１６の裏面に圧接させられる弾性のシール材１９とを備え、
【００２２】
上記垂直方向Ｖで上記各板金製瓦７（Ａ），７（Ｃ）の両係止片１０，１０に対向する上記水切板本体１８の部分に、上方に向って膨出する膨出部２１を成形したものである。
【００２３】
請求項２の発明は、請求項１の発明に加えて、上記水平方向Ｈで上記シール材１９から離れて位置すると共に傾斜方向Ｓに延び、かつ、上記水切板本体１８の上面に取り付けられて上記板金製瓦７（Ａ）および更に他の板金製瓦７（Ｃ）の各裏面にそれぞれ圧接させられる左右一対の弾性の他のシール材２４，２４を設けたものである。
【００２４】
【発明の実施の形態】
以下、本発明の実施の形態を図面により説明する。
【００２５】
図において、符号１は建物で、２はこの建物１の屋根である。この屋根２はその基体である木製の野地板３と、この野地板３の表面（外面）に敷設される屋根瓦４とを備えている。
【００２６】
上記野地板３の表面は、軒先に向って下方に向う傾斜した傾斜面とされている。上記屋根瓦４は、上記野地板３の傾斜した方向に沿った傾斜方向Ｓと、この傾斜方向Ｓにほぼ直交して上記野地板３の表面に沿った水平方向Ｈとに向って上記野地板３の表面に碁盤目状に複数敷設される板金製瓦７を備え、これら各板金製瓦７は互いに同じ矩形状で、互いに同じ大きさをなしている。
【００２７】
上記各板金製瓦７は板金のプレス加工製で、この板金製瓦７は上記野地板３の表面に沿って延びる平坦で矩形の瓦本体８と、上記傾斜方向Ｓの瓦本体８の上端縁８ａから上記野地板３の表面に対する垂直方向Ｖの上方に向って突出するよう一体的に延出して側面視（図３，４）でほぼ倒立Ｕ字形状をなす係止片１０と、この係止片１０の延出端から同上傾斜方向Ｓの上方に向って一体的に延出する延出片１１と、同上傾斜方向Ｓの瓦本体８の下端縁８ｂから上記垂直方向Ｖの下方に向って一体的に延出した後、上記傾斜方向Ｓの上方に向って延出する側面視でほぼコの字形状の被係止片１２とを備えている。上記垂直方向Ｖで、上記延出片１１の下面は上記瓦本体８の裏面とほぼ面一とされている。
【００２８】
上記板金製瓦７のうち、ある一つの板金製瓦７（Ａ）の被係止片１２は、上記傾斜方向Ｓでこの板金製瓦７（Ａ）の下側に隣り合うよう野地板３の表面に敷設されている他の板金製瓦７（Ｂ）の係止片１０にその外方から係脱自在に係止可能とされている。上記板金製瓦７（Ａ）の被係止片１２が他の板金製瓦７（Ｂ）の係止片１０に係止させられたとき、上記被係止片１２の空間１３が上記係止片１０に嵌脱自在に嵌合することとされ、これによって、上記板金製瓦７（Ａ）が他の板金製瓦７（Ｂ）から垂直方向Ｖの上方に離脱することが阻止される。
【００２９】
上記野地板３の表面に板金製瓦７を敷設する場合、この板金製瓦７はその延出片１１が野地板３の表面に釘１４により打ち付けられて固定される。
【００３０】
上記傾斜方向Ｓにほぼ直交して上記野地板３の表面に沿った方向を水平方向Ｈとしたとき、上記一つの板金製瓦７（Ａ）の瓦本体８の側縁８ａは、この板金製瓦７（Ａ）の係止片１０よりも上記水平方向Ｈの外側方に突出させられている。また、上記水平方向Ｈで上記板金製瓦７（Ａ）に隣り合うよう上記野地板３上に敷設されている更に他の板金製瓦７（Ｃ）の側縁８ａの表面にその外方から上記板金製瓦７（Ａ）の側縁８ａを重ね合わせ可能としてある。この場合、上記板金製瓦７（Ａ）の側縁８ａの端縁は、この側縁８ａの裏面側で折り返されて複数枚（２枚）の重ね合わせ構造とされている。
【００３１】
このため、上記板金製瓦７（Ａ）の側縁８ａには、上記重ね合わせ構造により、十分の剛性が確保されて、これをその側面視でより直線的な形状に保持させることができる。
【００３２】
よって、水平方向Ｈで、板金製瓦７を順次敷設して、前記したように一つの板金製瓦７（Ａ）の瓦本体８の側縁８ａを、この板金製瓦７（Ａ）に隣り合う更に他の板金製瓦７（Ｃ）の瓦本体８の側縁８ａの表面に重ね合わせたとき、上記したように剛性が向上させられ直線形状が保持された板金製瓦７（Ａ）の瓦本体８の側縁８ａと、上記更に他の板金製瓦７（Ｃ）の瓦本体８の側縁８ａとの間に隙間の生じることが抑制され、この結果、水平方向Ｈで隣り合う両板金製瓦７（Ａ），７（Ｃ）の間での雨水に対するシール性能が向上すると共に、屋根２の見栄えも向上する。
【００３３】
また、上記水平方向Ｈで隣り合う両板金製瓦７（Ａ），７（Ｃ）の両側縁８ａ，８ａのうち、上記更に他の板金製瓦７（Ｃ）の側縁８ａの端縁を含み、この端縁から上記板金製瓦７（Ａ）の側縁８ａへの遷移部１６と、上記野地板３との間に水切板１７が介在させられている。この水切板１７は、上記垂直方向Ｖで上記遷移部１６の下方に配設されて傾斜方向Ｓに延びる板金製の水切板本体１８と、上記傾斜方向Ｓに延び上記水切板本体１８の表面に取り付けられて上記遷移部１６の裏面に圧接させられるスポンジ状で弾性のシール材１９とを備えている。
【００３４】
上記水平方向Ｈで隣り合う両板金製瓦７（Ａ），７（Ｃ）の間の水切板１７の下端縁は、上記両板金製瓦７（Ａ），７（Ｃ）よりも傾斜方向Ｓで下側の両板金製瓦７（Ｂ），７（Ｄ）の間の他の水切板１７の上端縁に垂直方向Ｖでその上方から重なり合うこととされている。また、上記水切板１７において、上記シール材１９は上記水切板本体１８の傾斜方向Ｓにおけるほぼ全長にわたり延びている。
【００３５】
上記垂直方向Ｖで、上記各板金製瓦７（Ａ），７（Ｃ）の両係止片１０，１０に対向する上記水切板本体１８の部分には、上方に向って膨出する膨出部２１が成形されている。
【００３６】
上記垂直方向Ｖで上記両板金製瓦７（Ａ），７（Ｃ）の各係止片１０に対向する上記シール材１９の対向部分１９ａでは、その一部が弾性変形により上記係止片１０の基部端の開口を通しその内側空間２２に入り込むため、このシール材１９の対向部分１９ａの上記遷移部１６に対する面圧が低下し、ここでのシール性能が低下しがちとなる。
【００３７】
しかし、上記膨出部２１は、上記シール材１９の対向部分１９ａを垂直方向Ｖで上方に押し上げて上記遷移部１６に対する上記対向部分１９ａの面圧の低下が防止されるため、上記傾斜方向Ｓでの遷移部１６に対するシール材１９の各部面圧が互いに均一とされ、上記遷移部１６とシール材１９の対向部分１９ａとの間のシール性能も良好に保たれる。
【００３８】
よって、上記シール材１９の傾斜方向Ｓにおける各部のうち、係止片１０に対向する上記対向部分１９ａの厚さを従来のように他の部分よりも厚くさせる必要はなく、もって、各部断面が均一なシール材１９で足りることから、このシール材１９の厚さを変化させていた従来に比べて、このシール材１９の成形が容易にでき、つまり、屋根２の成形が容易にできることとなる。
【００３９】
また、上記水平方向Ｈで上記シール材１９から離れて位置すると共に傾斜方向Ｓに延び、かつ、上記水切板本体１８の上面に取り付けられて上記板金製瓦７（Ａ）および更に他の板金製瓦７（Ｃ）の各裏面にそれぞれ圧接させられる左右一対の弾性の他のシール材２４，２４が設けられている。また、上記水切板１７において、上記各他のシール材２４は上記水切板本体１８の傾斜方向Ｓにおけるほぼ全長にわたり延びており、上記シール材１９と、これと隣り合う各他のシール材２４との間にはそれぞれ傾斜方向Ｓに延びる樋２５が形成されている。
【００４０】
そして、上記水平方向Ｈで隣り合う両板金製瓦７（Ａ），７（Ｃ）の間を通って野地板３側に雨水が浸入することは、上記シール材１９によって抑制される。また、仮に、雨水の一部がこのシール材１９を通り越えたときには、この雨水の一部は上記各樋２５により確実に案内されて、傾斜方向Ｓで順次下側の水切板１７上に送り出され、このため、上記両板金製瓦７（Ａ），７（Ｃ）の間のシール性能がより向上する。
【００４１】
上記の場合、各シール材１９，２４は互いに同じ材質とされると共に、その各長手方向（傾斜方向Ｓ）の各部の断面形状も互いに同じとされている。
【００４２】
よって、上記各シール材１９，２４は、それぞれ共通の材料を単に所定長さに切断することにより得られるため、上記各シール材１９，２４の成形が容易にでき、つまり、上記屋根２の成形が容易にできる。
【００４３】
また、上記各シール材２４を設けたことにより、上記野地板３側に対する板金製瓦７の支持強度が向上すると共に、上記板金製瓦７に打ちつける雨音の減衰効果も向上する。
【００４４】
【発明の効果】
本発明による効果は、次の如くである。
【００４５】
請求項１の発明は、傾斜した野地板上に複数の板金製瓦を複数敷設し、これら各板金製瓦が、上記野地板の表面に沿って延びる平坦な瓦本体と、上記野地板の表面に沿った傾斜方向の上記瓦本体の上端縁から延出して、上記野地板の表面に対する垂直方向の上方に向って一体的に突出する側面視でほぼ倒立Ｕ字形状の係止片と、上記傾斜方向の上記瓦本体の下端縁から上記垂直方向の下方に向って一体的に延出した後、上記傾斜方向の上方に向って延出する被係止片とを備え、一つの板金製瓦の被係止片を上記傾斜方向でこの板金製瓦の下側に隣り合うよう上記野地板の表面に敷設されている他の板金製瓦の係止片にその外方から係止可能とさせ、上記傾斜方向にほぼ直交して上記野地板の表面に沿った水平方向で上記板金製瓦に隣り合うよう上記野地板上に敷設されている更に他の板金製瓦の側縁の表面にその外方から上記板金製瓦の側縁を重ね合わせ可能とした建物の板金製屋根瓦において、
【００４６】
上記板金製瓦の側縁の端縁を、この側縁の裏面側で折り返して複数枚の重ね合わせ構造としてある。
【００４７】
このため、上記板金製瓦の側縁には、上記重ね合わせ構造により、十分の剛性が確保されて、これをその側面視でより直線的な形状に保持させることができる。
【００４８】
よって、水平方向で、板金製瓦を順次敷設して、前記したように一つの板金製瓦の瓦本体の側縁を、この板金製瓦に隣り合う更に他の板金製瓦の瓦本体の側縁の表面に重ね合わせたとき、上記したように剛性が向上させられ直線形状が保持された板金製瓦の瓦本体の側縁と、上記更に他の板金製瓦の瓦本体の側縁との間に隙間の生じることが抑制され、この結果、水平方向で隣り合う両板金製瓦の間での雨水に対するシール性能が向上すると共に、屋根の見栄えも向上する。
【００４９】
また、上記水平方向で隣り合う両板金製瓦の両側縁のうち、上記更に他の板金製瓦の側縁の端縁を含み、この端縁から上記板金製瓦の側縁への遷移部と、上記野地板との間に水切板を介在させ、この水切板が、上記垂直方向で上記遷移部の下方に配設されて傾斜方向に延びる板金製の水切板本体と、上記傾斜方向に延び上記水切板本体の表面に取り付けられて上記遷移部の裏面に圧接させられる弾性のシール材とを備え、
【００５０】
上記垂直方向で上記各板金製瓦の両係止片に対向する上記水切板本体の部分に、上方に向って膨出する膨出部を成形してあり、次の効果が生じる。
【００５１】
即ち、上記垂直方向で上記両板金製瓦の各係止片に対向する上記シール材の対向部分では、その一部が弾性変形により上記係止片の基部端の開口を通しその内側空間に入り込むため、このシール材の対向部分の上記遷移部に対する面圧が低下し、ここでのシール性能が低下しがちとなる。
【００５２】
しかし、上記膨出部は、上記シール材の対向部分を垂直方向で上方に押し上げて上記遷移部に対する上記対向部分の面圧の低下が防止されるため、上記傾斜方向での遷移部に対するシール材の各部面圧が互いに均一とされ、上記遷移部とシール材の対向部分との間のシール性能も良好に保たれる。
【００５３】
よって、上記シール材の傾斜方向における各部のうち、係止片に対向する上記対向部分の厚さを従来のように他の部分よりも厚くさせる必要はなく、もって、各部断面が均一なシール材で足りることから、このシール材の厚さを変化させていた従来に比べて、このシール材の成形が容易にでき、つまり、屋根の成形が容易にできることとなる。
【００５４】
請求項２の発明は、上記水平方向で上記シール材から離れて位置すると共に傾斜方向に延び、かつ、上記水切板本体の上面に取り付けられて上記板金製瓦および更に他の板金製瓦の各裏面にそれぞれ圧接させられる左右一対の弾性の他のシール材を設けてある。
【００５５】
このため、隣り合う各シール材の間には傾斜方向に延びる樋が形成される。
【００５６】
よって、上記水平方向で隣り合う両板金製瓦の間を通って雨水の一部が上記シール材を通り越えたときには、この雨水の一部は上記各樋により確実に案内されて送り出され、このため、上記両板金製瓦の間のシール性能がより向上する。
【図面の簡単な説明】
【図１】屋根の斜視部分展開図である。
【図２】図１の部分拡大図である。
【図３】屋根の側面断面図である。
【図４】図３の部分拡大図である。
【図５】屋根の一部を垂直方向から見た平面図である。
【図６】図５の６‐６線矢視断面図である。
【図７】図５の７‐７線矢視断面図である。
【符号の説明】
１      建物
２      屋根
３      野地板
４      屋根瓦
７      板金製瓦
８      瓦本体
８ａ    側縁
１０    係止片
１１    延出片
１２    被係止片
１３    空間
１６    遷移部
１７    水切板
１８    水切板本体
１９    シール材
１９ａ  対向部分
２１    膨出部
２２    内側空間
２４    シール材
２５    樋
Ｈ      水平方向
Ｓ      傾斜方向
Ｖ      垂直方向
【図１】
0003540689.tif 000002
【図２】
0003540689.tif 000003
【図３】
0003540689.tif 000004
【図４】
0003540689.tif 000005
【図５】
0003540689.tif 000006
【図６】
0003540689.tif 000007
【図７】
0003540689.tif 000008